(57)【要約】    【課題】  アンテナの折れ曲がりやICの故障がなく、貼付後に読み取り書き込みの精度が不安定でないRFIDラベルを発行する携帯用RFIDプリンタを提供する。    【解決手段】  本発明の携帯用RFIDプリンタ１０は、RFIDリーダーライター部１２と、印字部１３と、ラベルカセット１４と、ラベル搬送経路１５と、を有しており、ラベル搬送経路１５は、RFIDラベル１を、カセット排出口３０からRFIDリーダーライター部１２及び印字部１３を介してラベル排出口２３まで搬送する際に折り曲げることがないように平坦に形成していることを特徴とする。【選択図】  図２
2008272988.tif 000002
【特許請求の範囲】
【請求項１】
単葉のRFIDラベルに情報の読み書きを行い印字面に印字するRFIDプリンタであって、
プリンタ本体と、
RFIDラベルに情報を読み書きするRFIDリーダーライター部と、
RFIDラベルを搬送し、RFIDラベルの印字面に印字する印字部と、
印字部で印字したRFIDラベルをプリンタ本体から外に排出するラベル排出口と、
単葉のRFIDラベルを多数枚重ねて収納し、RFIDラベルをRFIDリーダーライター部及び印字部へ送り出すカセット排出口が形成されたラベルカセットと、
ラベルカセットから繰り出されるRFIDラベルをラベル排出口へ搬送するラベル搬送経路と、を有し、
このラベル搬送経路はRFIDラベルを、カセット排出口からRFIDリーダーライター部及び印字部を介してラベル排出口まで搬送する際に折り曲げることがないように平坦に形成していることを特徴とする携帯用RFIDプリンタ。
【請求項２】
前記携帯用RFIDプリンタは、ラベルカセットを取り付けるラベルカセット設置部を有することを特徴とする請求項１記載の携帯用RFIDプリンタ。
【請求項３】
前記ラベルカセットは、ラベルを排出するラベル排出ローラーを有することを特徴とする請求項１記載の携帯型RFIDプリンタ。
【請求項４】
前記携帯用RFIDプリンタは、携帯するためのベルトフック等の携帯部を有することを特徴とする請求項１記載の携帯型RFIDプリンタ。
【発明の詳細な説明】
【技術分野】
【０００１】
本発明は、ラベルカセットに収納された単葉のRFIDラベルに印字する携帯用RFIDプリンタに関する。
【背景技術】
【０００２】
従来、RFIDラベルに情報の読み書きを行い、印字面に印字するプリンタは、卓上プリンタのみであり、携帯プリンタでRFIDラベルに発行できるプリンタは無かった。
また、図５に示す従来の携帯用プリンタ６０にRFIDラベルを使用しても、ラベル６１を搬送経路６２で屈曲しラベル排出口６３で排出するため、RFIDインレットを搬送経路で折り曲げて、RFIDラベル自体の折り曲がりや破壊、折れ曲がりによってRFID読取書込装置（RFIDリーダーライター）による読み取り及び書き取りの精度の不安定を引き起こす可能性があった。
【０００３】
また、従来の携帯用プリンタ６０は、ラベル６１を剥離紙の搬送方向に対して等間隔に貼り付けされたラベル連続体６４をラベル収納部６５に収納できる小さい巻径に形成したロール状ラベル連続体６６のみ装填可能なため、RFIDラベルをこの携帯用プリンタ用のロール状ラベル連続体６６に形成することによって、RFIDラベルのRFIDインレットに巻き癖がつき易く、プリンタで正常な搬送ができずジャムの原因になる他、前述したＲＦＩＤラベル自体の折れ曲がりや破壊、折れ曲がりによってRFID読取書込装置（RFIDリーダーライター）による読み取り精度の不安定を引き起こす可能性があった。
【０００４】
【特許文献１】特開平０９−２５４４５１
【特許文献２】特開平０４−２７２８７６
【発明の開示】
【発明が解決しようとする課題】
【０００５】
本発明は、RFIDラベルに情報の読み書きを行い、印字面に印字できると共に、読み取り及び書き込みの精度が不安定でないRFIDラベルを作成できる携帯用RFIDプリンタを提供することを目的とする。
【課題を解決するための手段】
【０００６】
本発明に係るプリンタは、単葉のRFIDラベルに情報の読み書きを行い印字面に印字するRFIDプリンタであって、プリンタ本体と、RFIDラベルに情報を読み書きするRFIDリーダーライター部と、RFIDラベルを搬送し、RFIDラベルの印字面に印字する印字部と、印字部で印字したRFIDラベルをプリンタ本体から外に排出するラベル排出口と、単葉のRFIDラベルを多数枚重ねて収納し、RFIDラベルをRFIDリーダーライター部及び印字部へ送り出すカセット排出口が形成されたラベルカセットと、ラベルカセットから繰り出されるRFIDラベルをラベル排出口へ搬送するラベル搬送経路と、を有し、このラベル搬送経路はRFIDラベルを、カセット排出口からRFIDリーダーライター部及び印字部を介してラベル排出口まで搬送する際に折り曲げることがないように平坦に形成していることを特徴とする。
携帯用RFIDプリンタは、ラベルカセットを取り付けるラベルカセット設置部を有することもできる。
ラベルカセットは、ラベルを排出するラベル排出ローラーを有することもできる。
携帯用RFIDプリンタは、携帯するためのベルトフック等の携帯部を有することもできる。
【発明の効果】
【０００７】
本発明に係る携帯用RFIDプリンタは、ラベルに情報の読み書きを行い、印字面に印字し、折れ曲がりやICの故障がなく読み取り書き込みの精度が不安定でないRFIDラベルを発行できる。
【発明を実施するための最良の形態】
【０００８】
図１に示すように本発明のRFIDラベル１は、表面に後述する印字部によって印字する感熱発層が形成された印字面２を有し、裏面に粘着剤が塗布されRFIDインレット３をラベル紙に貼り合せた単枚のラベル４を、表面にシリコン等の剥離剤が塗布された剥離紙５の表面に粘着剤を介して貼り合せたものである。
RFIDインレット３は、後述するRFIDリーダーライター部１２等によって書き込まれた情報を記憶するIC部７と、IC部７のアンテナの役割を果たす金属製のアンテナ部８とを有し、後述するRFIDリーダーライター部１２によってデーターを書換えする記憶媒体である。
上述したようにRFIDインレット３を内蔵したRFIDラベル１を、背景技術で説明したロール状ラベル連続体６６に形成すると、IC部７に負荷がかかりIC部７の故障、IC部７とアンテナ部８との接続が切れる、アンテナ部８が金属製のため、一度折れ曲がりや巻き癖がつくと修正することが困難であるという問題を引き起こすことがあった。
【０００９】
以下、本発明に係る携帯用RFIDプリンタの実施の形態について図面に基づいて詳細に説明する。図２は携帯用RFIDプリンタの内部概略側面図である。図３は携帯用RFIDプリンタの側面図である。図４は携帯用RFIDプリンタの斜視図である。
【００１０】
携帯用RFIDプリンタ１０は、プリンタ本体１１と、RFIDリーダーライター部１２と、印字部１３と、ラベルカセット１４と、ラベル搬送経路１５と、カセット設置部１６と、制御部１７と、操作部１８と、携帯部１９と、電池部２０と、を有する。
【００１１】
プリンタ本体１１は、携帯用RFIDプリンタ１０の内部（RFIDリーダーライター部１２、印字部１３、ラベル搬送経路１５、カセット設置部１６、制御部１７）を覆う金属又はプラスチック等の樹脂で形成されたケースであって、ラベルカセット１４をカセット設置部１６へ挿入する開口であるカセット挿入口２１と、このカセット設置部１６にラベルカセット１４をセット後に、カセット挿入口２１を塞ぐ蓋となる開閉蓋部２２と、RFIDラベル１を排出するラベル排出口２３と、を有する。
カセット挿入口２１は、ラベルカセット１４をカセット設置部１６に挿入する開口であって、ラベルカセット１４の挿入方向のサイズよりやや大きめに形成されている。
開閉蓋部２２は、カセット設置部１６にラベルカセット１４をセット後に、カセット挿入口２１を塞ぐドア状に回転し開閉できる蓋であって、この開閉蓋部２２の一端にヒンジ２５が形成されており、ヒンジ２５が形成された以外の他端に閉じた状態で係止する図示しない係止部を有する。図１の点線で表記されたように開閉蓋部２２は開閉する。
また、ヒンジ２５には開閉蓋部２２が開いた状態及び閉じた状態或いは任意の角度で固定できるフリーストップヒンジであっても良い。
ラベル排出口２３は、後述するカセット排出口３０からラベル搬送経路１５を介して搬送されるRFIDラベル１を携帯用RFIDプリンタ１０外に排出する排出口であって、カセット排出口及びラベル搬送経路１５と平行になる（平坦になる）位置に形成されており、よって携帯用RFIDプリンタ１０外にRFIDラベル１を排出する迄RFIDラベル１は折れ曲がらない。
【００１２】
RFIDリーダーライター部１２は、RFIDラベル１のRFIDインレット３に情報の読み書きを行う電波を送信するRFIDリーダーライターであって、ラベル搬送経路１５中の印字部１３より上流側に形成されている。
【００１３】
印字部１３は、図示しないモーターの駆動力よって回転し、ラベルカセット１４から排出されたRFIDラベル１をラベル排出口２３まで搬送するプラテンローラー２７と、このプラテンローラー２７にRFIDラベル１を介して圧接し、図示しない発熱体によってRFIDラベル１の印字面２に文字、バーコード等を印字するサーマルヘッド２８と、を有している。この印字部１３は、ラベル搬送経路１５中のRFIDリーダーライター部１２より下流側に形成している。
【００１４】
ラベルカセット１４は、カセット設置部１６に設置され、単枚のRFIDラベル１を重ねて収納し、カセット排出口３０から順次RFIDラベル１を排出するものであって、ラベルカセット１４をカセット設置部１６に係止するカセット係止片３１と、カセット設置部１６に設置されたラベルカセット１４をカセット設置部１６外に出す時の切っ掛けとなる引出し片３２と、単枚のRFIDラベル１を重ねて載置し、上方のRFIDラベル１が排出されると次のRFIDラベルが上方にくるように付勢部材３３によって付勢され、上下にスライド移動可能なラベル載置台３４と、最上方のRFIDラベル１をカセット排出口３０を介してラベル搬送経路１５へ図示しないモーターの駆動力によって回転して搬送するラベル排出ローラー３５と、を有する。
ラベル載置台３４が、RFIDラベル１の平面に対して、平坦に形成されており、ラベルカセット１４に単枚のRFIDラベル１を重ねて収納することによってRFIDラベル１は折れ曲がることなく携帯用RFIDプリンタ１０にセットされる。
【００１５】
カセット設置部１６は、ラベルカセット１４をプリンタ本体１１内に設置し、且つプリンタ本体１１内に係止するものであって、ラベルカセット１４をプリンタ本体１１内に設置する設置部材３７と、設置されたラベルカセット１４をプリンタ本体１１内に係止する設置係止部材３８を有する。
設置係止部材３８は、カセット係止片３１と係合し、ラベルカセット１４をプリンタ本体１１内に係止する設置係止片４０と、設置係止片４０をカセット係止片３１と係合する方向に付勢する付勢部材４１と、プリンタ本体１１の外側で設置係止片４０とカセット係止片３１との係合を解除する方向に設置係止片４０を操作する設置係止溝４２を介して設置係止片４０と接続された設置係止片操作部材４３（図２参照）と、を有する。
設置係止片操作部材４３は、設置係止溝４２に沿ってスライドして操作する。
また、カセット設置部１６にラベルカセット１４が設置及び係止したことを検出するセンサーを取り付けても良い。
【００１６】
ラベル搬送経路１５は、カセット排出口３０及びラベル排出口２３と平坦（平行）に形成され、カセット排出口３０から排出されたRFIDラベル１をRFIDリーダーライター部１２及び印字部１３を経由して（介して）ラベル排出口２３へ搬送する経路であって、ラベル搬送台４５を有する。
ラベル搬送台４５は、カセット排出口３０から排出されたRFIDラベル１を印字部１３までガイドするガイド面４６が平坦の台であり、RFIDリーダーライター部１２はラベル搬送台４５に設置されている。
RFIDリーダーライター部１２のラベル搬送台４５への設置方法として、ガイド面４６の一部を切り欠き、この切り欠きにガイド面４６と平坦（平行）になるようにRFIDリーダーライター部１２を設置しても良い。
【００１７】
制御部１７は、RFIDリーダーライター部１２のRFIDラベル１の読み取り書き取り動作や印字部１３の印字動作や操作部１８の操作及び表示等、携帯用RFIDプリンタ１０の全般の制御を行うものである。
【００１８】
操作部１８は、図３に示すように、携帯用RFIDプリンタ１０（プリンタ本体１１）の外側に形成され、電源のON、OFFを行う電源スイッチ４８と、携帯用RFIDプリンタ１０の各種操作を行う操作ボタン４９と、携帯用RFIDプリンタ１０の状態や操作ボタン４９での操作状況を表示する液晶ディスプレイ５０と、を有しており、制御部１７によって制御している。
操作部１８は、ラベル排出口２３と同一面に形成されているが、プリンタ本体１１のどの面に形成しても良い。
【００１９】
携帯部１９は、図３に示すように、ベルトに通して携帯用RFIDプリンタ１０を腰に携帯するベルトフック５２と、肩に掛けて携帯用RFIDプリンタを携帯するストラップ５３と、を有する。
この携帯部１９を使用することによって携帯用RFIDプリンタ１０を使用する作業者は、携帯用RFIDプリンタ１０を容易に携帯することができる。
【００２０】
電池部２０は、携帯用RFIDプリンタ１０の電源となる充電池のことである。
【００２１】
上述したように、本発明の携帯用RFIDプリンタ１０はカセット排出口３０から排出されたRFIDラベル１がラベル搬送経路１５を搬送されラベル排出口２３に至るまでの経路が平行（平坦）に形成しているため、RFIDラベル１が折れ曲がりや故障を起こすことがなく発行することができる。
また、ラベルカセット１４のラベル載置台３４がRFIDラベル１の平面に対して平坦に形成され、RFIDラベル１を順次カセット排出口３０に送り出すため、RFIDラベル１は折れ曲がりや故障を起こすことがなくカセット排出口３０から排出することができる。
また、本発明の携帯用RFIDプリンタ１０は、RFIDラベル１を発行するプリンタであるが、RFIDインレット３が内蔵されていないラベルであってもよく、タグやカードの発行にも折れ曲がりや破損を防止する効果がある。
【００２２】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２３】
【図１】RFIDラベルの斜視図である。
【図２】携帯用RFIDプリンタの内部概略側面図である。
【図３】携帯用RFIDプリンタの側面図である。
【図４】携帯用RFIDプリンタの斜視図である。
【図５】従来の携帯用プリンタの内部側面図である。
【符号の説明】
【００２４】
１      RFIDラベル
２      印字面
３      RFIDインレット
４      ラベル
５      剥離紙
７      IC部
８      アンテナ部
１０    携帯用RFIDプリンタ
１１    プリンタ本体
１２    RFIDリーダーライター部
１３    印字部
１４    ラベルカセット
１５    ラベル搬送経路
１６    カセット設置部
１７    制御部
１８    操作部
１９    携帯部
２０    電池部
２１    カセット挿入口
２２    開閉蓋部
２３    ラベル排出口
２５    ヒンジ
２７    プラテンローラー
２８    サーマルヘッド
３０    カセット排出口
３１    カセット係止片
３２    引出し片
３３    付勢部材
３４    ラベル載置台
３５    ラベル排出ローラー
３７    設置部材
３８    設置係止部材
４０    設置係止片
４１    付勢部材
４２    設置係止溝
４３    設置係止片操作部材
４５    ラベル搬送台
４６    ガイド面
４８    電源スイッチ
４９    操作ボタン
５０    液晶ディスプレイ
５２    ベルトフック
５３    ストラップ
６０    携帯用プリンタ
６１    ラベル
６２    搬送経路
６３    ラベル排出口
６４    ラベル連続体
６５    ラベル収納部
６６    ロール状ラベル連続体
【図１】
2008272988.tif 000003
【図２】
2008272988.tif 000004
【図３】
2008272988.tif 000005
【図４】
2008272988.tif 000006
【図５】
2008272988.tif 000007